【手続補正書】
【提出日】平成19年7月2日(2007.7.2)
【手続補正１】
【補正対象書類名】明細書
【補正対象項目名】特許請求の範囲
【補正方法】変更
【補正の内容】
【特許請求の範囲】
【請求項１】
複数のホストコンピュータとの結合に適応される記憶システムであって、
前記複数のホストコンピュータからのデータを記憶する複数のディスクドライブと、
前記複数のディスクドライブからのデータの読み取り又は前記複数のディスクドライブへのデータの書き込みを前記複数のホストコンピュータからのアクセスに応じてマップを用いて制御するコントローラとを有し、
前記複数のディスクドライブは複数の論理ユニットを形成し、
前記論理ユニットは論理ユニット番号を有し、
前記マップは、前記複数のホストコンピュータの一部のホストグループの識別子と複数の仮想論理ユニット番号を含み、
１以上の前記仮想論理ユニット番号は、前記ホストグループの前記識別子と前記論理ユニット番号のうちの１つの識別番号でリナンバーされる前記仮想論理ユニット番号でマップされることを特徴とする記憶システム。
【請求項２】
複数のホストコンピュータとの結合に適応される記憶システムであって、
前記複数のホストコンピュータからのデータを記憶する複数のディスクドライブと、
アクセス管理マップを有するコントローラとを有し、
前記複数のディスクドライブは複数の論理ユニットを形成し、
前記論理ユニットは論理ユニット番号を有し、
前記アクセスマネジメントマップは、前記複数のホストコンピュータの一部のホストグループの識別子と複数の仮想論理ユニット番号とを含み、
１以上の前記仮想論理ユニット番号は、前記ホストグループの前記識別子と前記論理ユニット番号のうちの１つの識別番号でリナンバーされる前記仮想論理ユニット番号でマップされ、
前記アクセスマネジメントマップは、前記ホストグループから前記論理ユニットへのアクセスを制御するのに使用されることを特徴とする記憶システム。
【請求項３】
前記アクセス管理マップは、異なるホストグループのために同じ仮想論理的ユニット番号まで異なる論理ユニット番号のマッピングを許可することを特徴とする請求項２記載の記憶システム。
【請求項４】
前記アクセス管理マップは、同じ仮想論理ユニット番号で、1つのホストグループに異なる論理的ユニット番号のマッピングを許可しないことを特徴とする請求項２記載の記憶システム。
【請求項５】
各々のホストグループに割り当てられる仮想論理ユニット番号は、ゼロから始まり、前記各々の仮想論理ユニット番号は、前記論理ユニット番号のうちの１つの識別子でリナンバーされることを特徴とする請求項２記載の記憶システム。
【請求項６】
各々のホストグループに割り当てられる仮想論理ユニット番号は、ゼロから始まるとともに１ずつ増加し、
前記各々の仮想論理ユニット番号は、前記論理ユニット番号のうちの１つの識別子でリナンバーされることを特徴とする請求項２記載の記憶システム。
【請求項７】
各々の前記仮想論理ユニット番号は、ユーザによって指定されることを特徴とする請求項２記載の記憶システム。
【請求項８】
前記ホストコンピュータは、互いに関連付けられた前記ホストグループを含むことを特徴とする請求項２記載の記憶システム。
【請求項９】
複数のホストコンピュータとの結合に適応される記憶システムであって、
前記ホストコンピュータからのデータを記憶する複数のディスクドライブと、
アクセス管理テーブルを有するコントローラとを有し、
前記ディスクドライブは複数の論理ユニットを形成し、
前記論理ユニットは論理ユニット番号を有し、
前記アクセス管理テーブルは、前記複数のホストコンピュータの一部のホストグループの識別子と複数の仮想論理ユニット番号とを含み、
１以上の前記仮想論理ユニット番号は、前記ホストグループの前記識別子と前記論理ユニット番号のうちの１つの識別番号でリナンバーされる前記仮想論理ユニット番号でマップされ、
前記アクセスマ管理テーブルは、前記ホストグループから前記論理ユニットへのアクセスを制御するのに使用されることを特徴とする記憶システム。
【請求項１０】
前記アクセス管理テーブルは、異なるホストグループのために同じ仮想論理的ユニット番号まで異なる論理ユニット番号のマッピングを許可することを特徴とする請求項９記載の記憶システム。
【請求項１１】
前記アクセス管理テーブルは、同じ仮想論理ユニット番号で1つのホストグループに異なる論理的ユニット番号のマッピングを許可しないことを特徴とする請求項９記載の記憶システム。
【請求項１２】
各々のホストグループに割り当てられる仮想論理ユニット番号は、ゼロから始まり、
前記各々の仮想論理ユニット番号は、前記論理ユニット番号のうちの１つの識別子でリナンバーされることを特徴とする請求項９記載の記憶システム。
【請求項１３】
各々のホストグループに割り当てられる仮想論理ユニット番号は、ゼロから始まるとともに１ずつ増加し、
前記各々の仮想論理ユニット番号は、前記論理ユニット番号のうちの１つの識別子でリナンバーされることを特徴とする請求項９記載の記憶システム。
【請求項１４】
各々の前記仮想論理ユニット番号は、ユーザによって指定されることを特徴とする請求項９記載の記憶システム。
【請求項１５】
複数のホストコンピュータとの結合に適応される記憶システムであって、
前記複数のホストコンピュータからのデータを記憶する複数のディスクドライブと、
前記複数のディスクドライブからのデータの読み取り又は前記複数のディスクドライブへのデータの書き込みを前記複数のホストコンピュータから前記論理ユニットへのアクセスに応じてアクセス管理マップを用いて制御するコントローラとを有し、
前記複数のディスクドライブは複数の論理ユニットを形成し、
前記論理ユニットは論理ユニット番号を有し、
前記アクセス管理マップは、前記複数のホストコンピュータの一部のホストグループの識別子と複数の仮想論理ユニット番号を含み、
１以上の前記仮想論理ユニット番号は、前記ホストグループの前記識別子と前記論理ユニット番号のうちの１つの識別番号でリナンバーされる前記仮想論理ユニット番号でマップされることを特徴とする記憶システム。
【請求項１６】
前記アクセス管理マップは、異なるホストグループのために同じ仮想論理的ユニット番号まで異なる論理ユニット番号のマッピングを許可することを特徴とする請求項１５記載の記憶システム。
【請求項１７】
前記アクセス管理マップは、同じ仮想論理ユニット番号で1つのホストグループに異なる論理的ユニット番号のマッピングを許可しないことを特徴とする請求項１５記載の記憶システム。
【請求項１８】
各々のホストグループに割り当てられる仮想論理ユニット番号は、ゼロから始まり、
前記各々の仮想論理ユニット番号は、前記論理ユニット番号のうちの１つの識別子でリナンバーされることを特徴とする請求項１５記載の記憶システム。
【請求項１９】
各々のホストグループに割り当てられる仮想論理ユニット番号は、ゼロから始まるとともに１ずつ増加し、
前記各々の仮想論理ユニット番号は、前記論理ユニット番号のうちの１つの識別子でリナンバーされることを特徴とする請求項１５記載の記憶システム。
【請求項２０】
各々の前記仮想論理ユニット番号は、ユーザによって指定されることを特徴とする請求項１５記載の記憶システム。
【請求項２１】
複数のホストコンピュータとの結合に適応される記憶システムであって、
前記複数のホストコンピュータからのデータを記憶する複数のディスクドライブと、
前記複数のディスクドライブからのデータの読み取り又は前記複数のディスクドライブへのデータの書き込みを前記複数のホストコンピュータから前記論理ユニットへのアクセスに応じてアクセス管理テーブルを用いて制御するコントローラと、
前記複数のディスクドライブは複数の論理ユニットを形成し、
前記論理ユニットは論理ユニット番号を有し、
前記アクセス管理テーブルは、前記複数のホストコンピュータの一部のホストグループの識別子と複数の仮想論理ユニット番号を含み、
１以上の前記仮想論理ユニット番号は、前記ホストグループの前記識別子と前記論理ユニット番号のうちの１つの識別番号でリナンバーされる前記仮想論理ユニット番号でマップされることを特徴とする記憶システム。
【請求項２２】
前記アクセス管理テーブルは、異なるホストグループのために同じ仮想論理的ユニット番号まで異なる論理ユニット番号のマッピングを許可することを特徴とする請求項２１記載の記憶システム。
【請求項２３】
前記アクセス管理テーブルは、同じ仮想論理ユニット番号で1つのホストグループに異なる論理的ユニット番号のマッピングを許可しないことを特徴とする請求項２１記載の記憶システム。
【請求項２４】
各々のホストグループに割り当てられる仮想論理ユニット番号は、ゼロから始まり、
前記各々の仮想論理ユニット番号は、前記論理ユニット番号のうちの１つの識別子でリナンバーされることを特徴とする請求項２１記載の記憶システム。
【請求項２５】
各々のホストグループに割り当てられる仮想論理ユニット番号は、ゼロから始まるとともに１ずつ増加し、
前記各々の仮想論理ユニット番号は、前記論理ユニット番号のうちの１つの識別子でリナンバーされることを特徴とする請求項２１記載の記憶システム。
【請求項２６】
各々の前記仮想論理ユニット番号は、ユーザによって指定されることを特徴とする請求項２１記載の記憶システム。
【請求項２７】
前記ホストコンピュータは、互いに関連付けられた前記ホストグループを含むことを特徴とする請求項２１記載の記憶システム。
【請求項２８】
複数のホストコンピュータとの結合に適応される記憶システムであって、
前記複数のホストコンピュータからのデータを記憶する複数のディスクドライブと、
前記複数のディスクドライブからのデータの読み取り又は前記複数のディスクドライブへのデータの書き込みを前記複数のホストコンピュータからのアクセスに応じてマップを用いて制御するコントローラとを有し、
前記複数のディスクドライブは複数の論理ユニットを形成し、
前記論理ユニットは論理ユニット番号を有し、
前記コントローラは、前記ホストコンピュータのいくつかを有するホストグループと対応する複数の識別子及び複数の前記論理ユニット番号のうちの１つでリナンバーされた仮想論理ユニット番号を含むアクセス管理マップを含み、
各々のホストグループに割り当てられる前記仮想論理ユニット番号のいくつかはゼロから始まり、他はゼロ以外の番号で始まり、
前記コントローラは、前記アクセス管理マップに応じて前記ホストグループから前記論理ユニットへのアクセスを制御することを特徴とする記憶システム。
【請求項２９】
前記アクセス管理マップは、異なるホストグループのために同じ仮想論理的ユニット番号まで異なる論理ユニット番号のマッピングを許可することを特徴とする請求項２８記載の記憶システム。
【請求項３０】
前記アクセス管理テーブルは、同じ仮想論理ユニット番号で1つのホストグループに異なる論理的ユニット番号のマッピングを許可しないことを特徴とする請求項２８記載の記憶システム。
【請求項３１】
前記ホストグループに対応する仮想論理ユニット番号のいつくかは、１ずつ増加することを特徴とする請求項２８記載の記憶システム。
【請求項３２】
各々の前記仮想論理ユニット番号は、ユーザによって指定されることを特徴とする請求項２８記載の記憶システム。
【請求項３３】
複数のホストコンピュータとの結合に適応される記憶システムであって、
前記複数のホストコンピュータからのデータを記憶する複数のディスクドライブと、
前記複数のディスクドライブからのデータの読み取り又は前記複数のディスクドライブへのデータの書き込みを前記複数のホストコンピュータから前記論理ユニットへのアクセスに応じて制御するコントローラとを有し、
前記複数のディスクドライブは複数の論理ユニットを形成し、
前記論理ユニットは論理ユニット番号を有し、
前記コントローラは、前記ホストコンピュータのいくつかを有するホストグループの識別子と複数の前記論理ユニット番号のうちの１つでリナンバーされた仮想論理ユニット番号をマップするアクセス管理テーブルを含み、
前記論理ユニット番号はゼロでない番号で始まり、
前記コントローラは、前記アクセス管理テーブルに応じた前記ホストグループから前記論理ユニットへのアクセスを制御すること特徴とする記憶システム。
【請求項３４】
前記アクセス管理テーブルは、異なるホストグループのために同じ仮想論理的ユニット番号まで異なる論理ユニット番号のマッピングを許可することを特徴とする請求項３３記載の記憶システム。
【請求項３５】
前記アクセス管理テーブルは、同じ仮想論理ユニット番号で1つのホストグループに異なる論理的ユニット番号のマッピングを許可しないことを特徴とする請求項３３記載の記憶システム。
【請求項３６】
前記ホストグループと対応する仮想論理ユニット番号は、前記ゼロでない番号で始まるとともに１ずつ増加することを特徴とする請求項３３記載の記憶システム。
【請求項３７】
各々の前記仮想論理ユニット番号は、ユーザによって指定されることを特徴とする請求項３３記載の記憶システム。
【手続補正２】
【補正対象書類名】明細書
【補正対象項目名】００１７
【補正方法】変更
【補正の内容】
【００１７】
また、仮想ＬＵＮを用いることにより、ユーザが任意の方法でＬＵＮの再配列を行なうことが可能となる。
さらに、本発明は、複数のホストコンピュータとの結合に適応される記憶システムであって、前記複数のホストコンピュータからのデータを記憶する複数のディスクドライブと、前記複数のディスクドライブからのデータの読み取り又は前記複数のディスクドライブへのデータの書き込みを前記複数のホストコンピュータからのアクセスに応じてマップを用いて制御するコントローラとを有し、前記複数のディスクドライブは複数の論理ユニットを形成し、前記論理ユニットは論理ユニット番号を有し、前記マップは、前記複数のホストコンピュータの一部のホストグループの識別子と複数の仮想論理ユニット番号を含み、１以上の前記仮想論理ユニット番号は、前記ホストグループの前記識別子と前記論理ユニット番号のうちの１つの識別番号でリナンバーされる前記仮想論理ユニット番号でマップされることを特徴とする記憶システムである。
さらに、本発明は、複数のホストコンピュータとの結合に適応される記憶システムであって、前記複数のホストコンピュータからのデータを記憶する複数のディスクドライブと、アクセス管理マップを有するコントローラとを有し、前記複数のディスクドライブは複数の論理ユニットを形成し、前記論理ユニットは論理ユニット番号を有し、前記アクセスマネジメントマップは、前記複数のホストコンピュータの一部のホストグループの識別子と複数の仮想論理ユニット番号とを含み、１以上の前記仮想論理ユニット番号は、前記ホストグループの前記識別子と前記論理ユニット番号のうちの１つの識別番号でリナンバーされる前記仮想論理ユニット番号でマップされ、前記アクセスマネジメントマップは、前記ホストグループから前記論理ユニットへのアクセスを制御するのに使用されることを特徴とする記憶システムである。
さらに、本発明は、複数のホストコンピュータとの結合に適応される記憶システムであって、前記ホストコンピュータからのデータを記憶する複数のディスクドライブと、アクセス管理テーブルを有するコントローラとを有し、前記ディスクドライブは複数の論理ユニットを形成し、前記論理ユニットは論理ユニット番号を有し、前記アクセス管理テーブルは、前記複数のホストコンピュータの一部のホストグループの識別子と複数の仮想論理ユニット番号とを含み、１以上の前記仮想論理ユニット番号は、前記ホストグループの前記識別子と前記論理ユニット番号のうちの１つの識別番号でリナンバーされる前記仮想論理ユニット番号でマップされ、前記アクセスマ管理テーブルは、前記ホストグループから前記論理ユニットへのアクセスを制御するのに使用されることを特徴とする記憶システムである。
さらに、本発明は、複数のホストコンピュータとの結合に適応される記憶システムであって、前記複数のホストコンピュータからのデータを記憶する複数のディスクドライブと、前記複数のディスクドライブからのデータの読み取り又は前記複数のディスクドライブへのデータの書き込みを前記複数のホストコンピュータから前記論理ユニットへのアクセスに応じてアクセス管理マップを用いて制御するコントローラとを有し、前記複数のディスクドライブは複数の論理ユニットを形成し、前記論理ユニットは論理ユニット番号を有し、前記アクセス管理マップは、前記複数のホストコンピュータの一部のホストグループの識別子と複数の仮想論理ユニット番号を含み、１以上の前記仮想論理ユニット番号は、前記ホストグループの前記識別子と前記論理ユニット番号のうちの１つの識別番号でリナンバーされる前記仮想論理ユニット番号でマップされることを特徴とする記憶システムである。
さらに、本発明は、複数のホストコンピュータとの結合に適応される記憶システムであって、前記複数のホストコンピュータからのデータを記憶する複数のディスクドライブと、前記複数のディスクドライブからのデータの読み取り又は前記複数のディスクドライブへのデータの書き込みを前記複数のホストコンピュータからのアクセスに応じてマップを用いて制御するコントローラとを有し、前記複数のディスクドライブは複数の論理ユニットを形成し、前記論理ユニットは論理ユニット番号を有し、前記コントローラは、前記ホストコンピュータのいくつかを有するホストグループと対応する複数の識別子及び複数の前記論理ユニット番号のうちの１つでリナンバーされた仮想論理ユニット番号を含むアクセス管理マップを含み、各々のホストグループに割り当てられる前記仮想論理ユニット番号のいくつかはゼロから始まり、他はゼロ以外の番号で始まり、前記コントローラは、前記アクセス管理マップに応じて前記ホストグループから前記論理ユニットへのアクセスを制御することを特徴とする記憶システムである。
さらに、本発明は、複数のホストコンピュータとの結合に適応される記憶システムであって、前記複数のホストコンピュータからのデータを記憶する複数のディスクドライブと、前記複数のディスクドライブからのデータの読み取り又は前記複数のディスクドライブへのデータの書き込みを前記複数のホストコンピュータから前記論理ユニットへのアクセスに応じて制御するコントローラとを有し、前記複数のディスクドライブは複数の論理ユニットを形成し、前記論理ユニットは論理ユニット番号を有し、前記コントローラは、前記ホストコンピュータのいくつかを有するホストグループの識別子と複数の前記論理ユニット番号のうちの１つでリナンバーされた仮想論理ユニット番号をマップするアクセス管理テーブルを含み、前記論理ユニット番号はゼロでない番号で始まり、前記コントローラは、前記アクセス管理テーブルに応じた前記ホストグループから前記論理ユニットへのアクセスを制御すること特徴とする記憶システムである。